(57)【要約】      （修正有）【課題】ハーネスを、スタンド等の装着部材の取付箇所を迂回させることなく、装着部材の取付時に邪魔にならない位置に固定できる表示装置及びテレビジョン受信機を提供する。【解決手段】液晶モジュールの背面に、スタンドが下側から挿入されて連結される連結部１８ａが設けてあり、連結部１８ａの挿入口近傍に凹部１９ａが設けてあり、凹部１９ａに、ハーネスを固定するハーネス固定部２２が設けてある。また、ハーネス固定部２２に固定されたハーネスは、連結部１８ａを被覆するスタンドカバーの平板にて被覆される。【選択図】図６
2016206614.tif 000002
【特許請求の範囲】
【請求項１】
正面に画像を表示する表示モジュールを有し、該表示モジュールの背面に、装着部材が連結される連結部及びケーブルが配置されている表示装置において、
前記表示モジュールの背面の前記連結部の近傍に設けられた凹部と、
該凹部に設けられ、前記ケーブルを固定する固定部と
を備えることを特徴とする表示装置。
【請求項２】
前記固定部に固定された前記ケーブルを覆う被覆部を備えることを特徴とする請求項１に記載の表示装置。
【請求項３】
前記固定部は、前記凹部の底面に設けられ、該底面からの高さが、前記凹部の深さよりも低くしてあることを特徴とする請求項１又は２に記載の表示装置。
【請求項４】
前記固定部は、
前記凹部の底面から立ち上がった後に前記底面に沿って延設され、延設端に、前記底面に向かって爪部が設けられた板部と、
前記凹部の底面の前記爪部との対向箇所を隔てた２箇所に設けられたリブとを有する
ことを特徴とする請求項１から３までのいずれかひとつに記載の表示装置。
【請求項５】
前記爪部は、前記板部の延設端から前記底面の対向箇所への方向よりも、前記板部と前記底面との連結箇所側に傾斜する傾斜面を有する
ことを特徴とする請求項４に記載の表示装置。
【請求項６】
前記表示モジュールの背面の前記凹部の近傍に設けられ、前記ケーブルを係止する係止部を備えることを特徴とする請求項１から５までのいずれかひとつに記載の表示装置。
【請求項７】
前記装着部材は、前記表示モジュールを支持する支持脚であることを特徴とする請求項１から６までのいずれかひとつに記載の表示装置。
【請求項８】
請求項１から７までのいずれかひとつに記載の表示装置と、
テレビジョン放送を受信する受信部とを備え、
該受信部にて受信したテレビジョン放送に基づいて、前記表示装置に映像を表示するようにしてあることを特徴とするテレビジョン受信機。
【発明の詳細な説明】
【技術分野】
【０００１】
本発明は、表示装置及びテレビジョン受信機に関する。
【背景技術】
【０００２】
液晶ディスプレイ及び液晶テレビジョン等の液晶表示装置は、液晶表示パネル及びバックライトを含み、正面に画像を表示する液晶モジュールを筐体内部に備えている。筐体内部にはスピーカ等の付属機器が設けられており、液晶モジュール及び付属機器は、筐体内部に配置されたハーネスを介して、筐体内部に設けられた制御基板と接続されている。ハーネスは、筐体内部の適宜箇所に配置されており、例えば、特許文献１では、筐体を構成するフロントキャビネットに、ハーネスを保持するリブ及びフックを設け、リブ及びフックにてハーネスを固定する構成が提案されている。
【先行技術文献】
【特許文献】
【０００３】
【特許文献１】特開２０１３−１５０３３０号公報
【発明の概要】
【発明が解決しようとする課題】
【０００４】
しかしながら、近年、液晶表示装置の狭額縁化が進んでおり、特許文献１に開示された構成のように、フロントキャビネットにハーネスの配線スペースを設けることが困難となっている。そこで、例えば、液晶モジュールの背面にハーネスを配置することが行われている。
ところで、液晶表示装置は、スタンドにて液晶表示パネルを立てた状態で支持（設置）されるものがあり、スタンドは、液晶モジュールの背面に取り付けられている場合がある。例えば、液晶モジュールの背面に、スタンドを連結するための連結部が設けてあり、スタンドは、連結部の挿入口から挿入されて取り付けられる。また、スタンドは、液晶表示装置を設置する際に購入者又は設置業者にて取り付けられることが多く、スタンドを取り付ける際に邪魔にならない位置にハーネスを配置する必要がある。そこで、例えば、液晶モジュールの背面において、スタンドの取付箇所を迂回してハーネスを配置することが考えられる。しかし、この場合、ハーネスが長くなり、また、ハーネスを保持するために、前述したリブ及びフック等をたくさん設ける必要があるという問題が生じる。また、スタンドのほかにも、販売後に液晶表示装置に装着される外部部材がある場合、この外部部材の取付箇所においても同様の問題が生じる。
【０００５】
本発明は斯かる事情に鑑みてなされたものであり、その目的とするところは、ハーネス（ケーブル）をスタンド等の装着部材の取付箇所を迂回させて配置することなく、装着部材の取付時に邪魔にならない位置にハーネスを固定できる表示装置及びテレビジョン受信機を提供することにある。
【課題を解決するための手段】
【０００６】
本発明に係る表示装置は、正面に画像を表示する表示モジュールを有し、該表示モジュールの背面に、装着部材が連結される連結部及びケーブルが配置されている表示装置において、前記表示モジュールの背面の前記連結部の近傍に設けられた凹部と、該凹部に設けられ、前記ケーブルを固定する固定部とを備えることを特徴とする。
【０００７】
本発明に係る表示装置は、前記固定部に固定された前記ケーブルを覆う被覆部を備えることを特徴とする。
【０００８】
本発明に係る表示装置は、前記固定部は、前記凹部の底面に設けられ、該底面からの高さが、前記凹部の深さよりも低くしてあることを特徴とする。
【０００９】
本発明に係る表示装置は、前記固定部は、前記凹部の底面から立ち上がった後に前記底面に沿って延設され、延設端に、前記底面に向かって爪部が設けられた板部と、前記凹部の底面の前記爪部との対向箇所を隔てた２箇所に設けられたリブとを有することを特徴とする。
【００１０】
本発明に係る表示装置は、前記爪部は、前記板部の延設端から前記底面の対向箇所への方向よりも、前記板部と前記底面との連結箇所側に傾斜する傾斜面を有することを特徴とする。
【００１１】
本発明に係る表示装置は、前記表示モジュールの背面の前記凹部の近傍に設けられ、前記ケーブルを係止する係止部を備えることを特徴とする。
【００１２】
本発明に係る表示装置は、前記装着部材は、前記表示モジュールを支持する支持脚であることを特徴とする。
【００１３】
本発明に係るテレビジョン受信機は、上述したいずれかの表示装置と、テレビジョン放送を受信する受信部とを備え、該受信部にて受信したテレビジョン放送に基づいて、前記表示装置に映像を表示するようにしてあることを特徴とする。
【発明の効果】
【００１４】
本発明によれば、ケーブルを、装着部材の取付箇所を迂回させて配置することなく、装着部材が連結部に装着される際に邪魔にならない位置に確実に固定できる。
【図面の簡単な説明】
【００１５】
【図１】実施形態１に係るテレビジョン受信機の斜視図である。
【図２】液晶モジュールの分解斜視図である。
【図３】ＢＬシャーシの背面斜視図である。
【図４】ミドルキャビネットの背面斜視図である。
【図５】ハーネス固定部及びハーネス係止部の斜視図である。
【図６】液晶モジュールの背面斜視図である。
【図７】液晶モジュールの背面斜視図である。
【図８】スタンドカバーの説明図である。
【図９】液晶モジュール及びスタンドの連結構造を説明するための斜視図である。
【図１０】図９におけるＸ−Ｘ線による拡大断面図である。
【発明を実施するための形態】
【００１６】
以下に、本発明に係る表示装置及びテレビジョン受信機について、その実施形態を示す図面に基づいて詳述する。
【００１７】
（実施形態１）
実施形態１に係るテレビジョン受信機について説明する。図１は、実施形態１に係るテレビジョン受信機の斜視図であり、図１Ａはテレビジョン受信機を表示面（以下、正面という）側から見た状態を示し、図１Ｂはテレビジョン受信機を表示面とは反対側の面（以下、背面という）側から見た状態を示す。本実施形態１のテレビジョン受信機１０は、液晶パネル１２等を有し、正面に画像を表示する液晶モジュール（表示モジュール）１０ａと、液晶モジュール１０ａの背面側を覆うバックキャビネット２０と、液晶モジュール１０ａを支持するスタンド（支持脚）２１とを備える。スタンド２１は、液晶パネル１２を立てた状態で液晶モジュール１０ａを支持する。また、テレビジョン受信機１０は、バックキャビネット２０に覆われた液晶モジュール１０ａの背面側に、テレビジョン放送を受信する受信部１０ｂを備えており、受信部１０ｂにて受信したテレビジョン放送に基づいて液晶モジュール１０ａに映像を表示する。
【００１８】
図２は、液晶モジュール１０ａの分解斜視図である。なお、図２における上下方向はテレビジョン受信機１０（液晶モジュール１０ａ）における上下方向に一致する。本実施形態１の液晶モジュール１０ａは、ベゼル１１、液晶パネル１２、光学シート１３、パネルシャーシ１４、導光板１５、光源部１６、放熱板１７、バックライトシャーシ（以下、ＢＬシャーシという）１８、ミドルキャビネット１９を備える。なお、本実施形態１のテレビジョン受信機１０は、液晶モジュール１０ａの背面側にバックキャビネット２０を備える。
液晶パネル１２は、矩形板状であり、画像を表示する表示面を正面に有する。ベゼル１１は、液晶パネル１２と同程度の大きさに形成された金属製の矩形枠体であり、液晶パネル１２の表示面側から表示面の周縁を覆うように装着されている。
【００１９】
光学シート１３は、拡散シート、ＢＥＦ（Brightness Enhance Film ）シート及び偏光シート等が積層されたシートであり、液晶パネル１２と同程度の大きさを有し、液晶パネル１２の背面に対向されている。光学シート１３は、背面から入射された光を均一に分布させて均一な平面光として正面（前面）から出射する。拡散シートは、例えば、ＰＥＴ（ポリエチレンテレフタレート）製又はポリカーボネート樹脂製であり、入射された光を拡散（散乱）させる。ＢＥＦシートは、例えば、透明の高分子シートの表面に微小なプリズム又はマイクロレンズ構造を設けて、集光により正面輝度を上昇させる。偏光シートは、例えば、ポリエチレンナフタレート製であり、入射された光を直線偏光に変換する。
パネルシャーシ１４は、液晶パネル１２と同程度の大きさに形成された樹脂製の矩形枠体であり、光学シート１３を介して液晶パネル１２の周縁に背面側から当接する。よって、パネルシャーシ１４は、ベゼル１１と共に液晶パネル１２及び光学シート１３の周縁を挟持する。
【００２０】
導光板１５は、例えば、透明度の高いアクリル樹脂製又はポリカーボネート樹脂製の矩形板体である。導光板１５は、液晶パネル１２と同程度の大きさに形成されており、光学シート１３の背面に対向されている。導光板１３の背面には、高反射性を有する合成樹脂製の反射シート（図示せず）が被着されている。
光源部１６は、短冊状の基板の一面に実装された複数の光源を備える。光源は、例えば発光ダイオード（ＬＥＤ：Light Emitting Diode）であり、基板の長手方向に沿って実装されている。
放熱板１７は、アルミニウム又は銅等の熱伝導率の高い金属製であり、光源部１６と同程度の長さを有する細長い矩形板状に形成されている。放熱板１７には、下端から正面側に板片１７ａが突設してあり、板片１７ａの上面に光源部１６の基板が光源の実装面を上側にして固定される。ＢＬシャーシ１８は、導光板１５と同程度の大きさに形成された金属製の矩形板体である。
【００２１】
放熱板１７は、ＢＬシャーシ１８の正面下部に取り付けられ、ＢＬシャーシ１８は、導光板１５及び放熱板１７を背面側から保持する。ＢＬシャーシ１８に保持された放熱板１７は、板片１７ａにて光源部１６を保持しており、板片１７ａにて保持された光源部１６は、導光板１５の下端面に対向する。パネルシャーシ１４は、導光板１５の周縁に正面側から当接しており、パネルシャーシ１４及びＢＬシャーシ１８にて、導光板１５、及び、光源部１６を保持する放熱板１７が保持される。放熱板１７は、光源部１６と導光板１５の下端面との対向箇所を覆うので、光源部１６で生じた熱を効率よく放出できる。
【００２２】
光源部１６は、冷陰極蛍光ランプ（ＣＣＦＬ：Cold Cathode Fluorescent Lamp）、外部電極蛍光ランプ（ＥＥＦＬ：External Electrode Fluorescent Lamp）、熱陰極蛍光ランプ（ＨＣＦＬ：Hot Cathode Fluorescent Lamp）等であってもよい。図２に示す構成では、光源部１６は、導光板１５の下端面と同程度の長さを有し、導光板１５の下端面に光源からの光が入射するように対向配置されている。このほかに、光源部１６を２つ備えてもよく、この場合、例えば、導光板１５の左右端面にそれぞれ対向させて光源部１６を配置してもよく、また、上下端面にそれぞれ対向させて光源部１６を配置してもよい。
【００２３】
ミドルキャビネット１９は、ＢＬシャーシ１８と同程度の大きさを有する樹脂製の矩形枠体であり、ＢＬシャーシ１８の周縁に背面側から当接する板が、内周の全周にわたって設けてある。ミドルキャビネット１９は、ＢＬシャーシ１８の周縁に背面側から当接して固定される。
上述した構成のベゼル１１、液晶パネル１２、光学シート１３、パネルシャーシ１４、導光板１５、光源部１６、放熱板１７、ＢＬシャーシ１８及びミドルキャビネット１９にて、本実施形態１の液晶モジュール１０ａは構成される。
【００２４】
バックキャビネット２０は、ミドルキャビネット１９と同程度の大きさを有し、矩形浅皿状に形成された樹脂製部材である。バックキャビネット２０は、上述の構成を有する液晶モジュール１０ａの背面に配置され、ビス等にて固定される。
本実施形態１では、上述した構成により、光源部１６の各光源から照射された光が導光板１５を通過し、均一な平面光として光学シート１３を介して液晶パネル１２に照射され、液晶パネル１２は、照射光を用いて表示面に映像を表示する。
【００２５】
次に、本実施形態１のテレビジョン受信機１０において、液晶モジュール１０ａとスタンド２１との連結構造について説明する。本実施形態１のテレビジョン受信機１０は、ＢＬシャーシ１８（液晶モジュール１０ａ）の背面にスタンド２１が取り付けられるように構成してある。
以下に、ＢＬシャーシ１８及びミドルキャビネット１９の構造について説明する。図３はＢＬシャーシ１８の背面斜視図である。以下の説明では、図中の上・下及び左・右を使用する。なお、以下の説明における左右方向は、図１Ａ及び図２における左右方向と反対になっている。
【００２６】
ＢＬシャーシ１８の背面には、受信部１０ｂ、受信部１０ｂで受信したテレビジョン放送に係る信号等を処理する信号処理ユニット、液晶モジュール１０ａの各部を駆動するための駆動ユニット、スピーカ１０ｃ（図６参照）を駆動するための駆動ユニット等が搭載された基板１０ｅが適宜箇所に取り付けてある。また、ＢＬシャーシ１８の周縁には、厚み方向に貫通する貫通孔１８ｂが複数設けてある。貫通孔１８ｂは、例えば、ミドルキャビネット１９、ＢＬシャーシ１８及びパネルシャーシ１４をビスで連結する際に使用される。貫通孔１８ｂの数及び位置は、図３に示す例に限らない。
【００２７】
ＢＬシャーシ１８の背面下部には、スタンド２１が連結される連結部１８ａが左右方向の２箇所に設けてある。連結部１８ａは、矩形筒から一側面を取り除き、取り除かれた開口端にそれぞれ外側に張り出す鍔部を設け、全体としてハット形の断面を有する金属製部材である。連結部１８ａは、鍔部に設けられた貫通孔に挿入されたビスを、ＢＬシャーシ１８の対応する位置に設けられたネジ孔に締結することにより、ＢＬシャーシ１８に取り付けて構成してある。また、連結部１８ａは、長手方向（軸方向）の開口端が上下位置となるようにＢＬシャーシ１８に固定され、連結部１８ａとＢＬシャーシ１８とに囲まれた空間に、連結部１８ａの下端を挿入口としてスタンド２１の支柱部２１ａ（図９参照）が下側から装着される。
【００２８】
図４はミドルキャビネット１９の背面斜視図である。ミドルキャビネット１９において、ＢＬシャーシ１８に当接する板部には、厚み方向に貫通する貫通孔１９ｂが複数設けてある。貫通孔１９ｂは、例えば、ミドルキャビネット１９、ＢＬシャーシ１８及びパネルシャーシ１４をビスで連結する際に使用され、ＢＬシャーシ１８の貫通孔１８ｂにそれぞれ対応する位置に設けられている。
ミドルキャビネット１９の下辺の板部には、背面の左右端側にそれぞれ、スピーカ１０ｃを取り付けるためのスピーカ取付部２４が設けてある。また、下辺の板部には、左側のスピーカ取付部２４の右側に、スピーカ取付部２４から近い順にハーネス固定部２２及びハーネス係止部２３が設けてあり、右側のスピーカ取付部２４の左側に、スピーカ取付部２４から近い順にハーネス固定部２２及びハーネス係止部２３が設けてある。
【００２９】
図５はハーネス固定部２２及びハーネス係止部２３の斜視図である。図５には、図４に示すミドルキャビネット１９の下辺の左側に設けられたハーネス固定部２２及びハーネス係止部２３が拡大して示されている。ハーネス固定部２２は、ミドルキャビネット１９の背面に設けられた凹部１９ａ内にフック２２ａ及びリブ２２ｂを備えている。フック２２ａ及びリブ２２ｂは、凹部１９ａの底面に設けられている。凹部１９ａは、ミドルキャビネット１９の下辺の板部を適幅にわたって正面側に矩形に窪ませて形成されている。凹部１９ａの上端には、中央に矩形の切り欠き部１９ａａが設けてある。フック（板部）２２ａは、切り欠き部１９ａａの下縁から背面側に立ち上がった後に上向きに延び、切り欠き部１９ａａによる開口領域に対向している。リブ２２ｂは、切り欠き部１９ａａの上端を隔てた２箇所からそれぞれ背面側に突出している。フック２２ａの凹部１９ａの底面からの高さは、凹部１９ａのミドルキャビネット１９の背面からの深さよりも低くしてある。よって、フック２２ａはミドルキャビネット１９の背面側に出っ張らない。また、フック２２ａの延設端（上端）には、切り欠き部１９ａａの上端に向かって爪部２２ａａが設けてあり、爪部２２ａａは、リブ２２ｂに対向する位置に配置される。
【００３０】
上述のように構成されたハーネス固定部２２において、ハーネス１０ｄは、凹部１９ａの底面とフック２２ａとの間に上側から押し込まれ、図５に示すように装着される。
フック２２ａの爪部２２ａａには、フック２２ａの延設端から正面方向よりも下側に傾斜する傾斜面２２ａｂが形成してあり、リブ２２ｂには、凹部１９ａの底面の上端から背面方向よりも下側に傾斜する傾斜面２２ｂａが形成してある。このような構成により、ハーネス１０ｄをハーネス固定部２２に装着する際に、ハーネス１０ｄが傾斜面２２ａｂ，２２ｂａによって装着箇所までガイドされるので、ハーネス１０ｄの装着が容易である。また、ハーネス１０ｄがハーネス固定部２２に装着された後は、フック２２ａの爪部２２ａａ及びリブ２２ｂによってハーネス１０ｄが上方向に外れることが防止され、ハーネス固定部２２に確実に固定される。なお、凹部１９ａの底面は、フック２２ａに対向する部分が切り欠いてあり、この開口部分（切り欠き部１９ａａ）にハーネス１０ｄを配置することができるので、フック２２ａの背面側の高さを低くできる。
【００３１】
ハーネス係止部２３は、ミドルキャビネット１９の背面から突設された３本のピン２３ａで構成される。２本のピン２３ａは左右方向に所定間隔を隔てて設けられており、残りの１本のピン２３ａは、２本のピン２３ａの中央の上側に設けられている。ハーネス１０ｄは、上側の１本のピン２３ａと下側の２本のピン２３ａとの間に背面側から押し込まれ、図５に示すように装着される。上下のピン２３ａの間隔はハーネス１０ｄの太さよりも若干小さくしてある。各ピン２３ａはミドルキャビネット１９と同様の樹脂製であり、弾性変形可能である。よって、上下のピン２３ａに挟まれたハーネス１０ｄは、各ピン２３ａの弾性によって抜け止めされる。ハーネス係止部２３にてハーネス１０ｄを保持することにより、ハーネス１０ｄがハーネス固定部２２から外れることをより防止できる。
図４及び図５に示す例では、ハーネス固定部２２（凹部１９ａ）の近傍に１つのハーネス係止部２３が設けてあるが、ハーネス固定部２２の左右両側にそれぞれハーネス係止部２３を設けてもよい。また、ハーネス固定部２２及びハーネス係止部２３に固定及び係止されるハーネス１０ｄは複数本あってもよい。
【００３２】
以下に、上述した構成のＢＬシャーシ１８及びミドルキャビネット１９の連結態様について説明する。図６は、液晶モジュール１０ａの背面斜視図である。
ミドルキャビネット１９は、貫通孔１９ｂがＢＬシャーシ１８の貫通孔１８ｂに連なった状態でＢＬシャーシ１８に背面側から連結される。ＢＬシャーシ１８及びミドルキャビネット１９が連結された場合、ミドルキャビネット１９の凹部１９ａ及び固定部２２は、ＢＬシャーシ１８に設けられた連結部１８ａの下端（挿入口）の下側に位置する。
【００３３】
テレビジョン受信機１０の組立工程において、液晶モジュール１０ａの組立後、ミドルキャビネット１９のスピーカ取付部２４にスピーカ１０ｃがそれぞれ取り付けられる。また、各スピーカ１０ｃと基板１０ｅとを接続するハーネス１０ｄが、ミドルキャビネット１９及びＢＬシャーシ１８の背面に沿って配置される。図６に示す例では、左側のスピーカ１０ｃに接続されたハーネス１０ｄが、ミドルキャビネット１９の下辺の背面に沿って左側から右側に配置された後、基板１０ｅの所定のコネクタに接続されている。ハーネス１０ｄをミドルキャビネット１９に沿って配置する際、ミドルキャビネット１９に設けられたハーネス固定部２２及びハーネス係止部２３にハーネス１０ｄを固定及び係止させる。ハーネス固定部２２は凹部１９ａ内に設けてあるので、ハーネス固定部２２に固定されているハーネス１０ｄも凹部１９ａ内に配置され、ミドルキャビネット１９の背面側に出っ張らない。また、凹部１９ａの左右幅は、連結部１８ａの左右幅よりも大きくしてあるので、連結部１８ａの挿入口の下側において、ハーネス１０ｄがミドルキャビネット１９の背面側に出っ張らない。
【００３４】
ミドルキャビネット１９の背面には、ハーネス固定部２２及びハーネス係止部２３以外に、同様の形状を有する固定部及び係止部が、ハーネス１０ｄの配線経路上に設けてある。よって、ハーネス固定部２２及びハーネス係止部２３と共に、適宜箇所に設けられた固定部及び係止部にハーネス１０ｄを固定及び係止させることにより、ミドルキャビネット１９に沿って適切に配線することができる。
【００３５】
以下に、ＢＬシャーシ１８に設けられた連結部１８ａに取り付けられるスタンドカバーの構造について説明する。図７は、液晶モジュール１０ａの背面斜視図であり、図８はスタンドカバーの説明図である。なお、図７には、図６に示す液晶モジュール１０ａの背面に設けられた連結部１８ａにスタンドカバー３０が取り付けられた状態が示されている。また、図８Ａはスタンドカバー３０の正面斜視図を示し、図８Ｂはスタンドカバー３０の正面図を示し、図８Ｃはスタンドカバー３０の背面図を示す。なお、図８における正面／背面は、液晶モジュール１０ａにおける正面／背面と反対である。
【００３６】
テレビジョン受信機１０の組立工程において、図６に示すように、液晶モジュール１０ａの背面にスピーカ１０ｃ及びハーネス１０ｄ等が取り付けられた後、図７に示すようにスタンドカバー３０が取り付けられる。スタンドカバー３０は、ＢＬシャーシ１８に設けられた連結部１８ａ、並びに、ミドルキャビネット１９に設けられた凹部１９ａ及びハーネス固定部２２を覆うように取り付けられる。
【００３７】
スタンドカバー３０は、取付部３１と、取付部３１の長手方向の一側に連設されたガイド部３２とを備える。取付部３１及びガイド部３２は、矩形筒状であり、一側面（背面）が開口している。また、取付部３１は長手方向に同じ太さに形成してあり、ガイド部３２は、取付部３１との連設位置から反対側に向かって広がる形状に形成してある。またガイド部３２には、背面側の開口部分に、開口部分を塞ぐ平板３２ａが所定の長さにわたって設けてある。取付部３１は上端の開口部分が塞がれており、正面側の側壁に、厚み方向に貫通する貫通孔３１ａが、長手方向に２つ並べて設けてある。
取付部３１は連結部１８ａを内包できる大きさに形成してあり、取付部３１を上側にして、ＢＬシャーシ１８に設けられた連結部１８ａに背面側から取付部３１を被せることにより、スタンドカバー３０がＢＬシャーシ１８に取り付けられる。スタンドカバー３０がＢＬシャーシ１８に取り付けられた場合、ガイド部３２の平板（被覆部）３２ａはミドルキャビネット１９の凹部１９ａ及びハーネス固定部２２を覆う状態となる。連結部１８ａに被せられたスタンドカバー３０は、ビス等にてＢＬシャーシ１８に固定されてもよい。
【００３８】
以下に、スタンド２１の連結構造について説明する。図９は、液晶モジュール１０ａ及びスタンド２１の連結構造を説明するための斜視図である。
本実施形態１のスタンド２１は、図９に示すように、ベース部２１ｂと、ベース部２１ｂから立設された２つの支柱部２１ａとを有する。支柱部２１ａは、スタンドカバー３０に内包された連結部１８ａに装着可能な矩形筒状に形成してあり、装着し易いように突出端（上端）が先細の形状に形成されている。また、２つの支柱部２１ａ間の距離は、２つの連結部１８ａ間の距離と同じである。ベース部２１ｂの形状は、液晶モジュール１０ａを十分支持できれば、図９に示す形状に限らない。
【００３９】
上述した構成のスタンド２１は、図９に矢符で示すように、２つの支柱部２１ａがそれぞれスタンドカバー３０に下側から挿入される。スタンドカバー３０に挿入された支柱部２１ａは、ガイド部３２の内面に沿って取付部３１まで導かれ、取付部３１内の連結部１８ａとＢＬシャーシ１８とに囲まれた空間に下側から挿入される。支柱部２１ａは、スタンドカバー３０の上面に当接するまで、又は、スタンドカバー３０の下端がスタンド２１のベース部２１ｂに当接するまで挿入される。支柱部２１ａは、連結部１８ａに装着された後、例えば取付部３１の貫通孔３１ａに通されたビスにて連結部１８ａに固定される。
【００４０】
図１０は、図９におけるＸ−Ｘ線による拡大断面図である。なお、図１０には、図９に示した液晶モジュール１０ａにおいて、スタンド２１の左側の支柱部２１ａが連結された左側の連結部１８ａ（スタンドカバー３０）の断面図を示す。図１０に示すように、液晶モジュール１０ａにおけるスタンド２１の取付箇所において、ハーネス１０ｄは、凹部１９ａ内に配置され、液晶モジュール１０ａの背面から出っ張らない。よって、スタンド２１の取付箇所を迂回させることなく、スタンド２１を取り付ける際に邪魔にならない位置にハーネス１０ｄを配置できる。また、スタンドカバー３０のガイド部３２の平板３２ａが、凹部１９ａに設けられたハーネス固定部２２とハーネス固定部２２にて固定されたハーネス１０ｄとを覆う。よって、ハーネス１０ｄの配線経路と、スタンド２１の取付経路とがガイド部３２の平板３２ａにて区分されるので、スタンド２１がスタンドカバー３０（連結部１８ａ）に装着される際にハーネス１０ｄに接触することがない。その結果、液晶モジュール１０ａへのスタンド２１の取り付けを安全に行うことができる。
【００４１】
本実施形態１のテレビジョン受信機１０では、液晶モジュール１０ａに対するスタンド２１の取付箇所を迂回することなく、スタンド２１の取付時に邪魔にならない位置にハーネス１０ｄを配置できる。よって、ハーネス１０ｄを短くでき、組立工数を削減できる。また、図１０に示すように、ハーネス固定部２２のフック２２ａは、凹部１９ａの底面からの高さが、凹部１９ａの深さよりも低くしてあるので、スタンドカバー３０の平板３２ａにてハーネス１０ｄ及びハーネス固定部２２を容易に被覆できる。よって、ＢＬシャーシ１８の背面に沿って取り付けられるスタンド２１の装着時にフック２２ａが邪魔にならない。
【００４２】
また、本実施形態１では、フック２２ａが左右方向に幅広に形成してある。図５，図１０に示したフック２２ａは、凹部１９ａの左右方向の幅の１／３程度の幅を有する。これにより、ハーネス１０ｄを広い面で固定することができる。よって、液晶モジュール１０ａへのスタンドカバー３０の取付時に、ハーネス１０ｄが動いたり、スタンドカバー３０とフック２２ａとの間にハーネス１０ｄが挟まれたりすることを防止できる。ハーネス固定部２２は、装着可能な太さのハーネス１０ｄであれば安定して固定できる。また、本実施形態１では、フック２２ａに対向する凹部１９ａの底面を切り欠いているが、切り欠かずに、凹部１９ａの底面とフック２２ａとでハーネス１０ｄを挟持する構成とすることもできる。
【００４３】
本実施形態１では、スタンド２１の取付箇所に凹部１９ａ及びハーネス固定部２２を設けたが、スタンド２１と同様に、販売後に購入者又は設置業者によって装着される装着部材についても、その取付箇所に凹部１９ａ及びハーネス固定部２２を設けてもよい。例えば、テレビジョン受信機１０を装飾するための装飾部材を装着できるようにテレビジョン受信機１０を構成した場合、装飾部材の取付箇所に凹部１９ａ及びハーネス固定部２２を設けてもよい。また、外部記憶装置を接続できるようにテレビジョン受信機１０を構成した場合、外部記憶装置のコネクタが接続される箇所に凹部１９ａ及びハーネス固定部２２を設けてもよい。
【００４４】
（実施形態２）
上述の実施形態１では、スタンドカバー３０のガイド部３２の平板３２ａにて、ミドルキャビネット１９のハーネス固定部２２及びハーネス固定部２２に固定されたハーネス１０ｄが被覆されていた。本実施形態２では、ハーネス固定部２２及びハーネス１０ｄを被覆する被覆部材が、スタンドカバー３０とは別体である構成について説明する。
【００４５】
ハーネス固定部２２に固定されたハーネス１０ｄを被覆する被覆部材は、例えば樹脂製の平板又はシート材等を用いて、ハーネス固定部２２のフック２２ａよりも若干大きい形状に形成される。このような被覆部材は、ハーネス１０ｄ及びハーネス固定部２２を覆った状態で、例えば凹部１９ａの底面に固定される。また、被覆部材は、凹部１９ａ全体を覆う大きさに形成されてもよい。この場合、被覆部材は、凹部１９ａの開口端全体を覆った状態でミドルキャビネット１９に固定される。
このような構成とした場合、テレビジョン受信機１０の組立工程において、図６に示すように、液晶モジュール１０ａの背面にスピーカ１０ｃ及びハーネス１０ｄ等が取り付けられた後に、ハーネス固定部２２（又は凹部１９ａ全体）を被覆部材にて覆い、その後、スタンドカバー３０が取り付けられる。このような構成とした場合であっても、被覆部材によって、ハーネス１０ｄの配線経路と、スタンド２１の取付経路とが区分されるので、液晶モジュール１０ａへのスタンド２１の取り付けを安全に行うことができる。なお、このような構成の場合には、スタンドカバー３０のガイド部３２には平板３２ａを設ける必要はない。
【００４６】
（実施形態３）
以下に、上述の実施形態１，２の変形例としての実施形態３について説明する。上述の実施形態１，２のテレビジョン受信機１０では、ＢＬシャーシ１８及びミドルキャビネット１９が液晶モジュール１０ａの背面を構成し、ミドルキャビネット１９に、ハーネス固定部２２及びハーネス係止部２３が設けられていた。このほかに、ミドルキャビネット１９を備えず、ＢＬシャーシ１８の適宜箇所にハーネス固定部２２及びハーネス係止部２３を設ける構成とすることもできる。
【００４７】
また、上述の実施形態１，２では、テレビジョン受信機１０を例に説明した。このほかに、本発明の構成は、撮像装置にて撮像された画像データ又はネットワークを介して受信した画像データに基づく画像を表示パネルに表示するデジタルフォトフレーム、予め内部メモリに記憶してあるデータ又はネットワークを介して受信したデータに基づく画像を表示パネルに表示するデジタルサイネージ等の表示装置においても適用できる。
また、上述の実施形態１，２では、エッジライト方式の光源装置を有するテレビジョン受信機１０について説明した。このほかに、本発明の構成は、液晶パネル１２の背面に光源が対向配置される直下型方式の光源装置を有する表示装置においても適用できる。
更に、上述の実施形態１，２では、液晶パネル１２を表示パネルとするテレビジョン受信機１０について説明した。このほかに、本発明の構成は、有機ＥＬ（electroluminescence ）パネル又はプラズマパネル等、液晶パネル以外の表示パネルを有する表示装置においても適用できる。
【００４８】
本発明に係る表示装置（１０）は、正面に画像を表示する表示モジュール（１０ａ）を有し、該表示モジュール（１０ａ）の背面に、装着部材（２１）が連結される連結部（１８ａ）及びケーブル（１０ｄ）が配置されている表示装置（１０）において、前記表示モジュール（１０ａ）の背面の前記連結部（１８ａ）の近傍に設けられた凹部（１９ａ）と、該凹部（１９ａ）に設けられ、前記ケーブル（１０ｄ）を固定する固定部（２２）とを備えることを特徴とする。
【００４９】
本発明によれば、表示モジュールの背面に、装着部材が連結される連結部が設けてあり、連結部の近傍に凹部が設けてあり、凹部に、ケーブルを固定する固定部が設けてある。よって、凹部に沿ってケーブルを固定できるので、連結部を迂回してケーブルを配する必要がなく、ケーブルを長くする必要がない。
【００５０】
本発明に係る表示装置（１０）は、前記固定部（２２）に固定された前記ケーブル（１０ｄ）を覆う被覆部（３２ａ）を備えることを特徴とする。
【００５１】
本発明によれば、固定部に固定されたケーブルが被覆部にて覆われるので、装着部材が連結部に装着される際にケーブルが邪魔にならず、装着部材がケーブルに接触しない。
【００５２】
本発明に係る表示装置（１０）は、前記固定部（２２）は、前記凹部（１９ａ）の底面に設けられ、該底面からの高さが、前記凹部（１９ａ）の深さよりも低くしてあることを特徴とする。
【００５３】
本発明によれば、凹部の底面に設けられた固定部の底面からの高さが、凹部の深さよりも低いので、固定部が表示モジュールの背面側に出っ張らない。よって、固定部に固定されたケーブルも表示モジュールの背面側に出っ張らず、装着部材が表示モジュールの背面に沿って連結部に装着される場合であっても、ケーブルが邪魔にならない。
【００５４】
本発明に係る表示装置（１０）は、前記固定部（２２）は、前記凹部（１９ａ）の底面から立ち上がった後に前記底面に沿って延設され、延設端に、前記底面に向かって爪部（２２ａａ）が設けられた板部（２２ａ）と、前記凹部（１９ａ）の底面の前記爪部（２２ａａ）との対向箇所を隔てた２箇所に設けられたリブ（２２ｂ）とを有することを特徴とする。
【００５５】
本発明によれば、凹部の底面と、凹部の底面に沿った板部とでケーブルが保持（挟持）され、板部の延設端に設けられた爪部と、凹部の底面に設けられたリブとで、ケーブルが固定部から外れることを防止できる。よって、凹部の底面及び板部とで挟持可能な太さであれば、どのような太さのケーブルであっても、安定して固定できる。
【００５６】
本発明に係る表示装置（１０）は、前記爪部（２２ａａ）は、前記板部（２２ａ）の延設端から前記底面の対向箇所への方向よりも、前記板部（２２ａ）と前記底面との連結箇所側に傾斜する傾斜面（２２ａｂ）を有することを特徴とする。
【００５７】
本発明によれば、板部に設けられた爪部が傾斜面を有するので、固定部にケーブルを固定する際に、傾斜面に沿ってケーブルを容易に装着できる。
【００５８】
本発明に係る表示装置（１０）は、前記表示モジュール（１０ａ）の背面の前記凹部（１９ａ）の近傍に設けられ、前記ケーブル（１０ｄ）を係止する係止部（２３）を備えることを特徴とする。
【００５９】
本発明によれば、表示モジュールの背面に、ケーブルを係止する係止部が設けてある。よって、固定部に固定されたケーブルを係止部に係止することにより、表示モジュールの背面に沿ってケーブルをより安定に固定することができる。
【００６０】
本発明に係る表示装置（１０）は、前記装着部材（２１）は、前記表示モジュール（１０ａ）を支持する支持脚（２１）であることを特徴とする。
【００６１】
本発明によれば、保持板を支持する支持脚が連結部に装着される際にケーブルが邪魔にならず、支持脚がケーブルに接触することを確実に回避できる。
【００６２】
本発明に係るテレビジョン受信機（１０）は、上述したいずれかの表示装置（１０）と、テレビジョン放送を受信する受信部（１０ｂ）とを備え、前記受信部（１０ｂ）にて受信したテレビジョン放送に基づいて、前記表示装置（１０）に映像を表示するようにしてあることを特徴とする。
【００６３】
本発明によれば、テレビジョン受信機においても、凹部に沿ってケーブルを固定できるので、連結部を迂回してケーブルを配する必要がなく、ケーブルを長くする必要がない。また、装着部材が連結部に装着される際にケーブルが邪魔にならず、装着部材がケーブルに接触しない。
【００６４】
今回開示された実施形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００６５】
１０  テレビジョン受信機（表示装置）
１２  液晶パネル
１８  ＢＬシャーシ
１９  ミドルキャビネット
２１  スタンド（装着部材、支持脚）
２２  ハーネス固定部（固定部）
２３  ハーネス係止部（係止部）
１０ａ  液晶モジュール（表示モジュール）
１０ｂ  受信部
１８ａ  連結部
１９ａ  凹部
２２ａ  フック（板部）
２２ｂ  リブ
２２ａａ  爪部
２２ａｂ  傾斜面
３２ａ  平板（被覆部）
【図１】
2016206614.tif 000003
【図２】
2016206614.tif 000004
【図３】
2016206614.tif 000005
【図４】
2016206614.tif 000006
【図５】
2016206614.tif 000007
【図６】
2016206614.tif 000008
【図７】
2016206614.tif 000009
【図８】
2016206614.tif 000010
【図９】
2016206614.tif 000011
【図１０】
2016206614.tif 000012